(57)【要約】      （修正有）【課題】メモリカード収納箱を提供する。【解決手段】メモリカードを収納する収納箱に関する設計するもので、特に、板材を利用して、特に環境保護の材質で作製された収納箱であるもので、その収納箱は少なく第一板体及び第二板体から構成されていて、第一板体と第二板体との間にメモリカードを収納する収納空間を有すると共に、収納空間は第一板体、第二板体のいずれの側にファイターを設けて、ファイターを介して直接に収納箱の外部から内部のメモリカードをみるものである。【選択図】図１
0003118671.tif 000002
【実用新案登録請求の範囲】
【請求項１】
少なくとも二つの板体から構成されて、一方の板体の周辺角の上に底部から上へ向かって収納溝を設けると共に、収納溝から板体の頂端へ向こってファイターを設け、ファイターの上に透視板を設けて他方の板体は平板状とし、両板体を結合することによって前記収納溝は収納空間を構成し、該収納空間にメモリカードを収納することを特徴とするメモリカード収納箱。
【請求項２】
前記両板体は未分割の板体で折れ込んでなるものであることを特徴とする請求項１に記載のメモリカード収納箱。
【請求項３】
前記両板体は両片の板体で結合していることを特徴とする請求項１に記載のメモリカード収納箱。
【請求項４】
前記収納溝の上端はファイターを設けて、収納空間の内部に収納されていたメモリかーどをみるためのものであることを特徴とする請求項１に記載のメモリカード収納箱。
【請求項５】
前記ファイターは透明状になる透視板を設けるものであることを特徴とする請求項１に記載のメモリカード収納箱。
【請求項６】
前記透視板は特殊な視覚効果を有するものであることを特徴とする請求項１に記載のメモリカード収納箱。
【請求項７】
前記収納空間の両側の板体の他側の上に前記収納空間の周辺を囲む折り線を設けるものであることを特徴とする請求項１又は請求項４に記載のメモリカード収納箱。
【請求項８】
前記折る線は断続状になって板体頂部から底部へ切断しているものであることを特徴とする請求項５に記載のメモリカード収納箱。
【請求項９】
前記収納箱の外形はメモリカードの外形と同様なものであることを特徴とする請求項１に記載のメモリカード収納箱。
【考案の詳細な説明】
【技術分野】
【０００１】
本考案はメモリカードを収納する収納箱のメモリカード収納箱の設計に関するもので、特に板材を利用して特に環境保護の材質で作製した収納箱に関するものである。
【背景技術】
【０００２】
メモリカードの種類が非常に多く、従来の体積比較的に大きいなＣＦカードから発展して今までのＭＳカード又はMｉＮｉ SDカードなど、各メモリカードメーカで制定された規格が異なって電子装置のうちに応用されている。
【０００３】
ところで、各メモリカードメーカは規格、体積、更に応用される製品も異なるので、広い消費者はそのメモリカードを購買する時、必ず電子製品はどんなメモリカードメーカの適用を理解して、購買の間違いなど必要がない悩みを発生しないようになている。
【０００４】
その他には、一般にメモリカードの本体を直接に箱の中に入れて再度メモリカードの規格、サイズを外部で表示して、又はメモリカードの外形を箱の外部に印刷されことで、消費者の選別に便利されて、購買の間違いことを発生しないようになている。ただ、販売人員又はお客様が製品を余り熟知しなくで又は覚えの間違いで、製品を購買する間違うことがよく発生する。
【０００５】
然し、一部のメーカはメモリカードの外形を箱の外部に印刷されなくで、業者はメモリカードを販売する時、展示用の様本を予備する必要がある場合が多く、何時でも消費者に提供されて選別の参照として、そのようにすると、業者はメモリカードを販売する時のコストを高めるだけではなく、様本としてのメモリカードが壊れられて又は損害され易い、消費者が製品を選別する時の邪魔を増加する。
【考案の開示】
【考案が解決しようとする課題】
【０００６】
そして、如何に消費者が直接に箱の外部で箱の内部のメモリカードの規格又は形状などを見えさえることで、その課題は本考案が解決するのものである。
【課題を解決するための手段】
【０００７】
本考案はこのような事情に鑑みてなされたものであって、本考案のメモリ収納箱は、少なく第一の板体及び第二の板体から構成されている。第一の板体及び第二の板体の間にメモリカードを収納する収納空間を有している。且つ収納空間は第一の板体及び第二の板体のいずれ側にファイターを設けている。ファイターを介して直接に箱の外部で箱の内部のメモリカードを見えて、消費者が製品を購買する時の便利性及び正確性を増加することを目的とする。
【０００８】
その他には、さらにファイターの上に透明状になった透視板を設けてメモリカードは展示する時に塵で覆えられないようになることの他には、メモリカードが壊れないようになることを別の目的とする。
【０００９】
収納箱全体の外形でも、収納箱の内部のメモリカードの外形と同様な形状になることで、消費者は収納箱の外部の外形によってメモリカードの規格とタイプを良く分かり易いで、さらにメモリカードの規格、特色、説明及び広告などを箱の外部に印刷されて、消費者への識別に便利するこどで、製品を選別する時の間違うことを発生しないようになることを別の目的とする。
【考案を実施するための最良の形態】
【００１０】
以下、本考案の結構、及び全体の操作方式について、次の図面を参照して説明する。
【００１１】
本考案のメモリカードの収納箱の結構は、図１及び図２に示すように、前記メモリ収納箱１０は、少なく第一の板体１１及び第二の板体１２から構成されている。第一の板体１１及び第二の板体１２は特に環境保護の材質で作製している。本実施例の中に紙材を例として、前記第一の板体１１の周辺角の上に底部から上へ向こって収納溝（表示しない）を設けて、同時に収納溝から第一の板体１１の頂端へファイター１３を設けて、第二の板体１２はシート状になった平板である。
【００１２】
第一の板体１１及び第二の板体１２を結合する時、主に貼り合いの方式を介して第一の板体１１及び第二の板体１２を一体に結合させる。第一の板体１１に収納溝を設けるので、第一の板体１１及び第二の板体１２の間に収納空間を形成して、メモリカード２０を収納されて、且つモリカード２０を収納する収納箱１０を構成している。もちろん、第一の板体１１及び第二の板体１２を作製する時、両板体の結合で、又は分割しない板体で折らせてなっている。
【００１３】
収納箱１０の全体をメモリカード２０の展示としての時、第一の板体１１の上のファイター１３を介して直接に収納箱１０の内部に収納したモリカード２０を見えて消費者が収納箱１０の内部のメモリカード２０の規格を良く分かって消費者が製品を選別する間違う現像を発生しない。特殊な効果を表示するためにファイターBは特殊な視覚効果の透視板１６（たとえば拡大レンズ）を配置している。
【００１４】
その他には、第一の板体１１の上に収納空間の周囲の位置ところに、さらに収納空間の周辺を囲む折り線１４を設けて、消費者はメモリカード２０を購買してから、直接に折り線１４を介して収納空間の上に被覆された板体を取り去って、メモリカード２０の取ることに便利させている。
【００１５】
同時に図３を参照して、第一の板体１１及び第二の板体１２の間は、貼り合いの方式を介して結合させているので、第一の板体１１及び第二の板体１２の間に取り去り易い、第一の板体１１及び第二の板体１２の間に構成させた収納空間１５にメモリカード２０を収納することができで、同時に収納空間１５に対するファイター１３の一側に更に透明状になった透視板１６を被覆して、本実施例の中に膠質の膜を実施例とするので、透視板１６の遮蔽を介して収納箱１０を展示する時、内部のメモリカード２０に塵で被覆されなくて、メモリカード２０が傷をつける現像又は壊れる現像を発生しないようになっている。
【００１６】
第一の板体１１の上に収納空間１５の周辺を囲む折り線１４は、第一の板体１１の頂端から底端へ切断して、同時に折り線１４は断続状になるので、収納空間１５の上の板体を被覆させることで、折り線１４から手軽く取り去りの効果を達成されている。
【００１７】
同時に図４及び図１を参照して、図４及び図１に示すように、消費者がメモリカード２０を購買してから、直ぐに折り線１４によって収納空間１５の上に被覆された板体を速く取り去って、消費者が速く収納空間１５に収納されたメモリカード２０を取り出す効果を達成されている。
【００１８】
その他には、その収納箱１０の外形は更に収納したメモリカード２０との外形同じで、更に消費者は収納箱１０の外形を介して収納空間１５に収納されたメモリカード２０の規格及びタイプを手軽く識別できで製品を選別する間違う現像を発生しない。
【００１９】
その他には、その収納箱１０の外部に更に製品の規格、形番、サイズ、説明を印刷させて、消費者は収納箱１０の外部に印刷した内容を介してメモリカード２０の規格を識別して、メーカへ提供させて、ブランドなどの印刷を提供して、消費者は直ぐにメモリカード２０のメーカを分かって、広告の効果も達成されている。
【産業上の利用可能性】
【００２０】
上記の各名称は本考案を便利に説明するために決められたのが、本考案の実施範囲を制限しなくて、本考案の主張による等価変換、代りの全ても本考案の実用新案登録請求の範囲に含めている。
【図面の簡単な説明】
【００２１】
【図１】本考案の模式図である。
【図２】本考案の分解の模式図である。
【図３】本考案の一部の断面の第一動作模式図である。
【図４】本考案の一部の断面の第二動作模式図である。
【符号の説明】
【００２２】
１0  収納箱
１１ 
第一板体
１２ 
第二板体
１３ 
ファイター
１４  折り線
１５  収納空間
１６  透視板
２０  メモリカード
【図１】
0003118671.tif 000003
【図２】
0003118671.tif 000004
【図３】
0003118671.tif 000005
【図４】
0003118671.tif 000006